【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレス局（ＳＴＡ）について、前記ＳＴＡがメンバーである複数のマルチユーザ多入力多出力（ＭＵ−ＭＩＭＯ）グループを特定することと、
前記特定に応答して、前記ＳＴＡがメンバーである前記複数のＭＵ−ＭＩＭＯグループの各々に関するグループ通信メトリックを決定することと、ここにおいて、前記複数のＭＵ−ＭＩＭＯグループのそれぞれ１つに関する前記グループ通信メトリックは、前記複数のＭＵ−ＭＩＭＯグループの前記それぞれ１つに従って実行された前のＭＩＭＯ通信に少なくとも部分的に基づく、
前記ＳＴＡがメンバーである前記複数のＭＵ−ＭＩＭＯグループのうちの少なくとも１つに優先度を付けることと、前記優先度を付けることは、前記少なくとも１つのＭＵ−ＭＩＭＯグループのそれぞれ１つに関連付けられた前記グループ通信メトリックに少なくとも部分的に基づく、
前記ＳＴＡへの通信について、前記優先度を付けることに少なくとも部分的に基づいて、前記ＳＴＡがメンバーである前記複数のＭＵ−ＭＩＭＯグループのうちの１つのＭＵ−ＭＩＭＯグループを選択することと、および
前記選択されたＭＵ−ＭＩＭＯグループに従って、ＭＵ−ＭＩＭＯ送信において、前記ＳＴＡへの前記通信を送信することと
を備える、方法。
【請求項２】
前記ＳＴＡがメンバーである前記複数のＭＵ−ＭＩＭＯグループのうちの前記少なくとも１つに優先度を付けることは、
好ましいＭＵ−ＭＩＭＯグループのリストを作成すること
を備える、請求項１に記載の方法。
【請求項３】
前記ＳＴＡがメンバーである前記複数のＭＵ−ＭＩＭＯグループのうちの前記少なくとも１つに優先度を付けることは、ブラックリステッドＭＵ−ＭＩＭＯグループのリストを作成することを備え、
前記ＳＴＡがメンバーである前記複数のＭＵ−ＭＩＭＯグループのうちの１つのＭＵ−ＭＩＭＯグループを選択することは、前記ブラックリステッドＭＵ−ＭＩＭＯグループに含まれるＭＵ−ＭＩＭＯグループへの送信をスケジュールすることを控えることを備える、
請求項１に記載の方法。
【請求項４】
前記ＳＴＡに、前記優先度を付けられた少なくとも１つのＭＵ−ＭＩＭＯグループ中の前記ＳＴＡの位置を示す情報を送信すること、ここにおいて、それぞれのＭＵ−ＭＩＭＯグループに関する前記ＳＴＡの前記位置は、前記それぞれのＭＵ−ＭＩＭＯグループのいくつかの位置のうちの１つであり、前記それぞれのＭＵ−ＭＩＭＯグループの位置の数は、前記それぞれのＭＵ−ＭＩＭＯグループのＭＵ送信によってサポートされるＳＴＡの数を示す、
をさらに備える、請求項１に記載の方法。
【請求項５】
前記ＳＴＡがメンバーである前記複数のＭＵ−ＭＩＭＯグループの各々に関する前記グループ通信メトリックを決定することは、
前記ＳＴＡがメンバーである前記複数のＭＵ−ＭＩＭＯグループの各々に従って実行された前のＭＵ−ＭＩＭＯ通信に関連付けられたパケット誤り率（ＰＥＲ）を決定すること、ここにおいて、前記複数のＭＵ−ＭＩＭＯグループのそれぞれ１つに関する前記通信メトリックは、前記複数のＭＵ−ＭＩＭＯグループの前記それぞれ１つに従って実行された前記前のＭＵ−ＭＩＭＯ通信に関連付けられた前記ＰＥＲを備える、
を備える、請求項１に記載の方法。
【請求項６】
しきい値を上回るＰＥＲを有する少なくとも１つのＭＵ−ＭＩＭＯグループを特定することと、および
前記ＳＴＡへの前記通信について、前記ＳＴＡに関する変調およびコーディング方式（ＭＣＳ）を選択することと、ここにおいて、前記ＭＣＳは、前記優先度を付けられた少なくとも１つのＭＵ−ＭＩＭＯグループの前記ＰＥＲの考慮なしに選択される、
をさらに備える、請求項５に記載の方法。
【請求項７】
前記ＳＴＡがメンバーである前記複数のＭＵ−ＭＩＭＯグループの各々に関する前記グループ通信メトリックを決定することは、
前記ＳＴＡがメンバーである前記複数のＭＵ−ＭＩＭＯグループの各々に関連付けられたグッドプットの推定値を決定すること、ここにおいて、前記複数のＭＵ−ＭＩＭＯグループのそれぞれ１つに関する前記グループ通信メトリックは、前記複数のＭＵ−ＭＩＭＯグループの前記それぞれ１つに関連付けられた前記グッドプットの推定値を備える、
を備える、請求項１に記載の方法。
【請求項８】
前記複数のＭＵ−ＭＩＭＯグループの前記それぞれ１つに関連付けられた前記グッドプットの推定値は、前記複数のＭＵ−ＭＩＭＯグループの前記それぞれ１つによる送信に関連付けられた履歴の情報、前記複数のＭＵ−ＭＩＭＯグループの前記それぞれ１つへのデータ送信の長さ、前記複数のＭＵ−ＭＩＭＯグループの前記それぞれ１つに関するキューの長さ、または前記複数のＭＵ−ＭＩＭＯグループの前記それぞれ１つに関する変調およびコーディング方式に少なくとも部分的に基づく、請求項７に記載の方法。
【請求項９】
前記ＳＴＡがメンバーである前記複数のＭＵ−ＭＩＭＯグループの各々に関する前記グループ通信メトリックを決定することは、
前記ＳＴＡがメンバーである前記複数のＭＵ−ＭＩＭＯグループのそれぞれ１つについて、前記複数のＭＵ−ＭＩＭＯグループの前記それぞれ１つのＭＵ−ＭＩＭＯグループのメンバー間のデバイス間干渉に関連付けられたチャネル相関を決定すること、ここにおいて、前記複数のＭＵ−ＭＩＭＯグループの前記それぞれ１つに関する前記グループ通信メトリックは、前記複数のＭＵ−ＭＩＭＯグループの前記それぞれ１つについての前記チャネル相関を備える、
を備える、請求項１に記載の方法。
【請求項１０】
前記ＳＴＡがメンバーである新しいＭＵ−ＭＩＭＯグループが作成されたと決定することと、および
新しいグループが作成されたという前記決定に少なくとも部分的に基づいて、前記ＳＴＡがメンバーである前記複数のＭＵ−ＭＩＭＯグループに関する前記グループ通信メトリックを更新することと
をさらに備える、請求項１に記載の方法。
【請求項１１】
前記複数のＭＵ−ＭＩＭＯグループのうちの１つのＭＵ−ＭＩＭＯグループのメンバー間のデバイス間干渉に関連付けられたチャネル相関の変化はしきい値のレベルを上回ると決定することと、および
前記チャネル相関の変化の少なくとも部分的に基づいて、前記ＳＴＡがメンバーである前記複数のＭＵ−ＭＩＭＯグループの各々に関する前記グループ通信メトリックを更新することと
をさらに備える、請求項１に記載の方法。
【請求項１２】
前記優先度を付けられた少なくとも１つのＭＵ−ＭＩＭＯグループの各々に満了時間を関連付けること
をさらに備える、請求項１に記載の方法。
【請求項１３】
ワイヤレス通信に関する装置であって、
ワイヤレス局（ＳＴＡ）について、前記ＳＴＡがメンバーである複数のマルチユーザ多入力多出力（ＭＵ−ＭＩＭＯ）グループを特定するためのグループ識別マネージャと、
前記特定に応答して、前記ＳＴＡがメンバーである前記複数のＭＵ−ＭＩＭＯグループの各々に関するグループ通信メトリックを決定するための通信メトリックマネージャと、ここにおいて、前記複数のＭＵ−ＭＩＭＯグループのそれぞれ１つに関する前記グループ通信メトリックは、前記複数のＭＵ−ＭＩＭＯグループの前記それぞれ１つに従って実行された前のＭＩＭＯ通信に少なくとも部分的に基づく、
前記ＳＴＡがメンバーである前記複数のＭＵ−ＭＩＭＯグループのうちの少なくとも１つに優先度を付けるためのと、および、前記優先度を付けることは、前記少なくとも１つのＭＵ−ＭＩＭＯグループのそれぞれ１つに関連付けられた前記グループ通信メトリックに少なくとも部分的に基づき、前記ＳＴＡへの通信について、前記優先度を付けることに少なくとも部分的に基づいて、前記ＳＴＡがメンバーである前記複数のＭＵ−ＭＩＭＯグループのうちの１つのＭＵ−ＭＩＭＯグループを選択するための優先度付けマネージャと、および
前記選択されたＭＵ−ＭＩＭＯグループに従って、ＭＵ−ＭＩＭＯ送信において、前記ＳＴＡへの前記通信を送信するための送信機と
を備える、装置。
【請求項１４】
前記ＳＴＡがメンバーである前記複数のＭＵ−ＭＩＭＯグループのうちの前記少なくとも１つに優先度を付けるための前記優先度付けマネージャはさらに、好ましいＭＵ−ＭＩＭＯグループのリストを作成するためのものである、請求項１３に記載の装置。
【請求項１５】
前記ＳＴＡがメンバーである前記複数のＭＵ−ＭＩＭＯグループのうちの前記少なくとも１つに優先度を付けるための前記優先度付けマネージャはさらに、ブラックリステッドＭＵ−ＭＩＭＯグループのリストを作成するためのものと、および、前記ブラックリステッドＭＵ−ＭＩＭＯグループに含まれるＭＵ−ＭＩＭＯグループへの送信をスケジュールすることを控えるためのものである、請求項１３に記載の装置。
【請求項１６】
前記優先度付けマネージャはさらに、前記ＳＴＡに、前記優先度を付けられた少なくとも１つのＭＵ−ＭＩＭＯグループ中の前記ＳＴＡの位置を示す情報を送信するためのものである、ここにおいて、それぞれのＭＵ−ＭＩＭＯグループに関する前記ＳＴＡの前記位置は、前記それぞれのＭＵ−ＭＩＭＯグループのいくつかの位置のうちの１つであり、前記それぞれのＭＵ−ＭＩＭＯグループの位置の数は、前記それぞれのＭＵ−ＭＩＭＯグループのＭＵ送信によってサポートされるＳＴＡの数を示す、請求項１３に記載の装置。
【請求項１７】
前記ＳＴＡがメンバーである前記複数のＭＵ−ＭＩＭＯグループの各々に関する前記グループ通信メトリックを決定するための前記通信メトリックマネージャはさらに、前記ＳＴＡがメンバーである前記複数のＭＵ−ＭＩＭＯグループの各々に従って実行された前のＭＵ−ＭＩＭＯ通信に関連付けられたパケット誤り率（ＰＥＲ）を決定するためのものであり、ここにおいて、前記複数のＭＵ−ＭＩＭＯグループのそれぞれ１つに関する前記通信メトリックは、前記複数のＭＵ−ＭＩＭＯグループの前記それぞれ１つに従って実行された前記前のＭＵ−ＭＩＭＯ通信に関連付けられた前記ＰＥＲを備える、請求項１３に記載の装置。
【請求項１８】
前記通信メトリックマネージャはさらに、しきい値を上回るＰＥＲを有する少なくとも１つのＭＵ−ＭＩＭＯグループを特定するためのものと、および前記ＳＴＡへの前記通信について、前記ＳＴＡに関する変調およびコーディング方式（ＭＣＳ）を選択するためのものであり、ここにおいて、前記ＭＣＳは、前記優先度を付けられた少なくとも１つのＭＵ−ＭＩＭＯグループの前記ＰＥＲの考慮なしに選択される、請求項１７に記載の装置。
【請求項１９】
前記ＳＴＡがメンバーである前記複数のＭＵ−ＭＩＭＯグループの各々に関する前記グループ通信メトリックを決定するための前記通信メトリックマネージャはさらに、前記ＳＴＡがメンバーである前記複数のＭＵ−ＭＩＭＯグループの各々に関連付けられたグッドプットの推定値を決定するためのものであり、ここにおいて、前記複数のＭＵ−ＭＩＭＯグループのそれぞれ１つに関する前記グループ通信メトリックは、前記複数のＭＵ−ＭＩＭＯグループの前記それぞれ１つに関連付けられた前記グッドプットの推定値を備える、請求項１３に記載の装置。
【請求項２０】
前記複数のＭＵ−ＭＩＭＯグループの前記それぞれ１つに関連付けられた前記グッドプットの推定値は、前記複数のＭＵ−ＭＩＭＯグループの前記それぞれ１つによる送信に関連付けられた履歴の情報、前記複数のＭＵ−ＭＩＭＯグループの前記それぞれ１つへのデータ送信の長さ、前記複数のＭＵ−ＭＩＭＯグループの前記それぞれ１つに関するキューの長さ、または前記複数のＭＵ−ＭＩＭＯグループの前記それぞれ１つに関する変調およびコーディング方式に少なくとも部分的に基づく、請求項１９に記載の装置。
【請求項２１】
前記ＳＴＡがメンバーである前記複数のＭＵ−ＭＩＭＯグループの各々に関する前記グループ通信メトリックを決定するための前記通信メトリックマネージャはさらに、前記ＳＴＡがメンバーである前記複数のＭＵ−ＭＩＭＯグループのそれぞれ１つについて、前記複数のＭＵ−ＭＩＭＯグループの前記それぞれ１つのＭＵ−ＭＩＭＯグループのメンバー間のデバイス間干渉に関連付けられたチャネル相関を決定するためのものであり、ここにおいて、前記複数のＭＵ−ＭＩＭＯグループの前記それぞれ１つに関する前記グループ通信メトリックは、前記複数のＭＵ−ＭＩＭＯグループの前記それぞれ１つについての前記チャネル相関を備える、請求項１３に記載の装置。
【請求項２２】
前記通信メトリックマネージャはさらに、前記ＳＴＡがメンバーである新しいＭＵ−ＭＩＭＯグループが作成されたと決定するためのものであり、および
ここにおいて、前記通信メトリックマネージャはさらに、新しいグループが作成されたという前記決定に少なくとも部分的に基づいて、前記ＳＴＡがメンバーである前記複数のＭＵ−ＭＩＭＯグループに関する前記グループ通信メトリックを更新するためのものである、
請求項１３に記載の装置。
【請求項２３】
前記通信メトリックマネージャはさらに、前記複数のＭＵ−ＭＩＭＯグループのうちの１つのＭＵ−ＭＩＭＯグループのメンバー間のデバイス間干渉に関連付けられたチャネル相関の変化がしきい値のレベルを上回ると決定するためのものであり、および
ここにおいて、前記通信メトリックマネージャはさらに、前記チャネル相関の変化の少なくとも部分的に基づいて、前記ＳＴＡがメンバーである前記複数のＭＵ−ＭＩＭＯグループの各々に関する前記グループ通信メトリックを更新するためのものである、
請求項１３に記載の装置。
【請求項２４】
前記優先度付けマネージャはさらに、前記優先度を付けられた少なくとも１つのＭＵ−ＭＩＭＯグループの各々に満了時間を関連付けるためのものである、請求項１３に記載の装置。
【請求項２５】
ワイヤレス通信に関する装置であって、
ワイヤレス局（ＳＴＡ）について、前記ＳＴＡがメンバーである複数のマルチユーザ多入力多出力（ＭＵ−ＭＩＭＯ）グループを特定するための手段と、
前記特定に応答して、前記ＳＴＡがメンバーである前記複数のＭＵ−ＭＩＭＯグループの各々に関するグループ通信メトリックを決定するための手段と、ここにおいて、前記複数のＭＵ−ＭＩＭＯグループのそれぞれ１つに関する前記グループ通信メトリックは、前記複数のＭＵ−ＭＩＭＯグループの前記それぞれ１つに従って実行された前のＭＩＭＯ通信に少なくとも部分的に基づく、
前記ＳＴＡがメンバーである前記複数のＭＵ−ＭＩＭＯグループのうちの少なくとも１つに優先度を付けるための手段と、前記優先度を付けることは、前記少なくとも１つのＭＵ−ＭＩＭＯグループのそれぞれ１つに関連付けられた前記グループ通信メトリックに少なくとも部分的に基づく、
前記ＳＴＡへの通信について、前記優先度を付けることに少なくとも部分的に基づいて、前記ＳＴＡがメンバーである前記複数のＭＵ−ＭＩＭＯグループのうちの１つのＭＵ−ＭＩＭＯグループを選択するための手段と、および
前記選択されたＭＵ−ＭＩＭＯグループに従って、ＭＵ−ＭＩＭＯ送信において、前記ＳＴＡへの前記通信を送信するための手段と
を備える、装置。
【請求項２６】
前記少なくとも１つのＭＵ−ＭＩＭＯグループに優先度を付けるための前記手段は、
好ましいＭＵ−ＭＩＭＯグループのリストを作成するための手段
を備える、請求項２５に記載の装置。
【請求項２７】
前記少なくとも１つのＭＵ−ＭＩＭＯグループに優先度を付けるための前記手段は、
ブラックリステッドＭＵ−ＭＩＭＯグループのリストを作成するための手段
を備える、請求項２５に記載の装置。
【請求項２８】
ワイヤレス通信に関するコンピュータ実行可能コードを記憶する非一時的コンピュータ可読媒体であって、前記コードは、
ワイヤレス局（ＳＴＡ）について、前記ＳＴＡがメンバーである複数のマルチユーザ多入力多出力（ＭＵ−ＭＩＭＯ）グループを特定することと、
前記特定に応答して、前記ＳＴＡがメンバーである前記複数のＭＵ−ＭＩＭＯグループの各々に関するグループ通信メトリックを決定することと、ここにおいて、前記複数のＭＵ−ＭＩＭＯグループのそれぞれ１つに関する前記グループ通信メトリックは、前記複数のＭＵ−ＭＩＭＯグループの前記それぞれ１つに従って実行された前のＭＩＭＯ通信に少なくとも部分的に基づく、
前記ＳＴＡがメンバーである前記複数のＭＵ−ＭＩＭＯグループのうちの少なくとも１つに優先度を付けることと、前記優先度を付けることは、前記少なくとも１つのＭＵ−ＭＩＭＯグループのそれぞれ１つに関連付けられた前記グループ通信メトリックに少なくとも部分的に基づく、
前記ＳＴＡへの通信について、前記優先度を付けることに少なくとも部分的に基づいて、前記ＳＴＡがメンバーである前記複数のＭＵ−ＭＩＭＯグループのうちの１つのＭＵ−ＭＩＭＯグループを選択することと、および
前記選択されたＭＵ−ＭＩＭＯグループに従って、ＭＵ−ＭＩＭＯ送信において、前記ＳＴＡへの前記通信を送信することと
を行うためにプロセッサによって実行可能である、非一時的コンピュータ可読媒体。
【請求項２９】
前記ＳＴＡがメンバーである前記複数のＭＵ−ＭＩＭＯグループの各々に関する前記グループ通信メトリックを決定するための前記コードは、
前記ＳＴＡがメンバーである前記複数のＭＵ−ＭＩＭＯグループの各々に従って実行された前のＭＵ−ＭＩＭＯ通信に関連付けられたパケット誤り率（ＰＥＲ）を決定すること、ここにおいて、前記複数のＭＵ−ＭＩＭＯグループのそれぞれ１つに関する前記通信メトリックは、前記複数のＭＵ−ＭＩＭＯグループの前記それぞれ１つに従って実行された前記前のＭＵ−ＭＩＭＯ通信に関連付けられた前記ＰＥＲを備える、
を行うためにプロセッサによって実行可能である、請求項２８に記載の非一時的コンピュータ可読媒体。
【請求項３０】
前記ＳＴＡがメンバーである前記複数のＭＵ−ＭＩＭＯグループの各々に関する前記グループ通信メトリックを決定するための前記コードは、前記ＳＴＡがメンバーである前記複数のＭＵ−ＭＩＭＯグループの各々に関連付けられたグッドプットの推定値を決定すること、ここにおいて、前記複数のＭＵ−ＭＩＭＯグループのそれぞれ１つに関する前記グループ通信メトリックは、前記複数のＭＵ−ＭＩＭＯグループの前記それぞれ１つに関連付けられた前記グッドプットの推定値を備える、
を行うためにプロセッサによって実行可能である、請求項２８に記載の非一時的コンピュータ可読媒体。
【請求項３１】
前記複数のＭＵ−ＭＩＭＯグループの前記それぞれ１つに関連付けられた前記グッドプットの推定値は、前記複数のＭＵ−ＭＩＭＯグループの前記それぞれ１つによる送信に関連付けられた履歴の情報、前記複数のＭＵ−ＭＩＭＯグループの前記それぞれ１つへのデータ送信の長さ、前記複数のＭＵ−ＭＩＭＯグループの前記それぞれ１つに関するキューの長さ、または前記複数のＭＵ−ＭＩＭＯグループの前記それぞれ１つに関する変調およびコーディング方式に少なくとも部分的に基づく、請求項２８に記載の非一時的コンピュータ可読媒体。
【請求項３２】
前記ＳＴＡがメンバーである前記複数のＭＵ−ＭＩＭＯグループの各々に関する前記グループ通信メトリックを決定するための前記コードは、前記ＳＴＡがメンバーである前記複数のＭＵ−ＭＩＭＯグループのそれぞれ１つについて、前記複数のＭＵ−ＭＩＭＯグループの前記それぞれ１つのＭＵ−ＭＩＭＯグループのメンバー間のデバイス間干渉に関連付けられたチャネル相関を決定すること、ここにおいて、前記複数のＭＵ−ＭＩＭＯグループの前記それぞれ１つに関する前記グループ通信メトリックは、前記複数のＭＵ−ＭＩＭＯグループの前記それぞれ１つについての前記チャネル相関を備える、
を行うためにプロセッサによって実行可能である、請求項２８に記載の非一時的コンピュータ可読媒体。
【手続補正２】
【補正対象書類名】明細書
【補正対象項目名】００９７
【補正方法】変更
【補正の内容】
【００９７】
[0105]本明細書の記述は、当業者が本開示を作成または使用することができるように与えられる。本開示への様々な変更は当業者には容易に明らかとなり、および本明細書で定義された一般原理は、本開示の範囲から逸脱することなく他の変形形態に適用され得る。したがって、本開示は、本明細書で記述された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
ワイヤレス通信の方法であって、
ワイヤレス局（ＳＴＡ）に関連付けられた複数のマルチユーザ多入力多出力（ＭＵ−ＭＩＭＯ）グループを特定することと、
前記複数のＭＵ−ＭＩＭＯグループの各々に関連付けられた通信メトリックを決定することと、および
優先度を付けられたＭＵ−ＭＩＭＯグループに関連付けられた前記通信メトリックに少なくとも部分的に基づいて、前記複数のＭＵ−ＭＩＭＯグループのうちの少なくとも１つに優先度を付けることと
を備える、方法。
［Ｃ２］
前記少なくとも１つのＭＵ−ＭＩＭＯグループに優先度を付けることは、
好ましいＭＵ−ＭＩＭＯグループのリストを作成すること
を備える、Ｃ１に記載の方法。
［Ｃ３］
前記少なくとも１つのＭＵ−ＭＩＭＯグループに優先度を付けることは、
ブラックリステッドＭＵ−ＭＩＭＯグループのリストを作成すること
を備える、Ｃ１に記載の方法。
［Ｃ４］
前記ブラックリステッドＭＵ−ＭＩＭＯグループに関連付けられたＭＵ−ＭＩＭＯグループへの送信をスケジュールすることを控えること
をさらに備える、Ｃ３に記載の方法。
［Ｃ５］
前記複数のＭＵ−ＭＩＭＯグループに関連付けられた前記ＳＴＡに、前記優先度を付けられた少なくとも１つのＭＵ−ＭＩＭＯグループ中の前記ＳＴＡの位置を示す情報を送信すること
をさらに備える、Ｃ１に記載の方法。
［Ｃ６］
前記通信メトリックを決定することは、
前記複数のＭＵ−ＭＩＭＯグループの各々に関連付けられたパケット誤り率（ＰＥＲ）を決定すること、ここにおいて、前記通信メトリックは前記ＰＥＲを備える、
を備える、Ｃ１に記載の方法。
［Ｃ７］
しきい値を上回るＰＥＲを有する少なくとも１つのＭＵ−ＭＩＭＯグループを特定することと、および
前記ＳＴＡに関する変調およびコーディング方式（ＭＣＳ）を選択することと、ここにおいて、前記ＭＣＳは、前記少なくとも１つのＭＵ−ＭＩＭＯグループの前記ＰＥＲの考慮なしに選択される、
をさらに備える、Ｃ６に記載の方法。
［Ｃ８］
前記通信メトリックを決定することは、
前記複数のＭＵ−ＭＩＭＯグループの各々に関連付けられたグッドプットの推定値を決定すること、ここにおいて、前記通信メトリックは前記グッドプットの推定値を備える、を備える、Ｃ１に記載の方法。
［Ｃ９］
前記グッドプットの推定値は、前記ＭＵ−ＭＩＭＯグループによる送信に関連付けられた履歴の情報、前記ＭＵ−ＭＩＭＯグループへのデータ送信の長さ、前記ＭＵ−ＭＩＭＯグループに関するキューの長さ、または前記ＭＵ−ＭＩＭＯに関する変調およびコーディング方式に少なくとも部分的に基づく、Ｃ８に記載の方法。
［Ｃ１０］
前記通信メトリックを決定することは、
前記複数のＭＵ−ＭＩＭＯグループの各々に関連付けられたチャネル相関を決定すること、ここにおいて、前記通信メトリックは前記チャネル相関を備える、
を備える、Ｃ１に記載の方法。
［Ｃ１１］
前記ＳＴＡに関連付けられた新しいＭＵ−ＭＩＭＯグループが作成されたと決定することと、および
新しいグループが作成されたという前記決定に少なくとも部分的に基づいて、前記複数のＭＵ−ＭＩＭＯグループに関する前記通信メトリックを更新することと
をさらに備える、Ｃ１に記載の方法。
［Ｃ１２］
チャネル相関の変化はしきい値のレベルを上回ると決定することと、および
前記チャネル相関の変化の少なくとも部分的に基づいて、前記複数のＭＵ−ＭＩＭＯグループに関する前記通信メトリックを更新することと
をさらに備える、Ｃ１に記載の方法。
［Ｃ１３］
各優先度を付けられたＭＵ多入力多出力（ＭＩＭＯ）グループに満了時間を関連付けること
をさらに備える、Ｃ１に記載の方法。
［Ｃ１４］
ワイヤレス通信に関する装置であって、
ワイヤレス局（ＳＴＡ）に関連付けられた複数のマルチユーザ多入力多出力（ＭＵ−ＭＩＭＯ）グループを特定するためのグループ識別マネージャと、
前記複数のＭＵ−ＭＩＭＯグループの各々に関連付けられた通信メトリックを決定するための通信メトリックマネージャと、および
前記優先度を付けられたＭＵ−ＭＩＭＯグループに関連付けられた前記通信メトリックに少なくとも部分的に基づいて、前記複数のＭＵ−ＭＩＭＯグループのうちの少なくとも１つに優先度を付けるための優先度付けマネージャと
を備える、装置。
［Ｃ１５］
前記少なくとも１つのＭＵ−ＭＩＭＯグループに優先度を付けるための前記優先度付けマネージャはさらに、好ましいＭＵ−ＭＩＭＯグループのリストを作成するためのものである、Ｃ１４に記載の装置。
［Ｃ１６］
前記少なくとも１つのＭＵ−ＭＩＭＯグループに優先度を付けるための前記優先度付けマネージャはさらに、ブラックリステッドＭＵ−ＭＩＭＯグループのリストを作成するためのものである、Ｃ１４に記載の装置。
［Ｃ１７］
前記優先度付けマネージャはさらに、前記ブラックリステッドＭＵ−ＭＩＭＯグループに関連付けられたＭＵ−ＭＩＭＯグループへの送信をスケジュールすることを控えるためのものである、Ｃ１６に記載の装置。
［Ｃ１８］
前記優先度付けマネージャはさらに、前記複数のＭＵ−ＭＩＭＯグループに関連付けられた前記ＳＴＡに、前記優先度を付けられた少なくとも１つのＭＵ−ＭＩＭＯグループ中の前記ＳＴＡの位置を示す情報を送信するためのものである、Ｃ１４に記載の装置。
［Ｃ１９］
前記通信メトリックを決定するための前記通信メトリックマネージャはさらに、前記複数のＭＵ−ＭＩＭＯグループの各々に関連付けられたパケット誤り率（ＰＥＲ）を決定するためのものであり、ここにおいて、前記通信メトリックは前記ＰＥＲを備える、Ｃ１４に記載の装置。
［Ｃ２０］
前記通信メトリックマネージャはさらに、しきい値を上回るＰＥＲを有する少なくとも１つのＭＵ−ＭＩＭＯグループを特定するためのものと、および前記ＳＴＡに関する変調およびコーディング方式（ＭＣＳ）を選択するためのものであり、ここにおいて、前記ＭＣＳは、前記少なくとも１つのＭＵ−ＭＩＭＯグループの前記ＰＥＲの考慮なしに選択される、Ｃ１９に記載の装置。
［Ｃ２１］
前記通信メトリックを決定するための前記通信メトリックマネージャはさらに、前記複数のＭＵ−ＭＩＭＯグループの各々に関連付けられたグッドプットの推定値を決定するためのものであり、ここにおいて、前記通信メトリックは前記グッドプットの推定値を備える、Ｃ１４に記載の装置。
［Ｃ２２］
前記グッドプットの推定値は、前記ＭＵ−ＭＩＭＯグループによる送信に関連付けられた履歴の情報、前記ＭＵ−ＭＩＭＯグループへのデータ送信の長さ、前記ＭＵ−ＭＩＭＯグループに関するキューの長さ、または前記ＭＵ−ＭＩＭＯに関する変調およびコーディング方式に少なくとも部分的に基づく、Ｃ２１に記載の装置。
［Ｃ２３］
前記通信メトリックを決定するための前記通信メトリックマネージャはさらに、前記複数のＭＵ−ＭＩＭＯグループの各々に関連付けられたチャネル相関を決定するためのものであり、ここにおいて、前記通信メトリックは前記チャネル相関を備える、Ｃ１４に記載の装置。
［Ｃ２４］
前記通信メトリックマネージャはさらに、前記ＳＴＡに関連付けられた新しいＭＵ−ＭＩＭＯグループが作成されたと決定するためのものであり、および
ここにおいて、前記通信メトリックマネージャはさらに、新しいグループが作成されたという前記決定に少なくとも部分的に基づいて、前記複数のＭＵ−ＭＩＭＯグループに関する前記通信メトリックを更新するためのものである、
Ｃ１４に記載の装置。
［Ｃ２５］
前記通信メトリックマネージャはさらに、チャネル相関の変化がしきい値のレベルを上回ると決定するためのものであり、および
ここにおいて、前記通信メトリックマネージャはさらに、前記チャネル相関の変化の少なくとも部分的に基づいて、前記複数のＭＵ−ＭＩＭＯグループに関する前記通信メトリックを更新するためのものである、
Ｃ１４に記載の装置。
［Ｃ２６］
前記優先度付けマネージャはさらに、各優先度を付けられたＭＵ多入力多出力（ＭＩＭＯ）グループに満了時間を関連付けるためのものである、Ｃ１４に記載の装置。
［Ｃ２７］
ワイヤレス通信に関する装置であって、
ワイヤレス局（ＳＴＡ）に関連付けられた複数のマルチユーザ多入力多出力（ＭＵ−ＭＩＭＯ）グループを特定するための手段と、
前記複数のＭＵ−ＭＩＭＯグループの各々に関連付けられた通信メトリックを決定するための手段と、および
優先度を付けられたＭＵ−ＭＩＭＯグループに関連付けられた前記通信メトリックに少なくとも部分的に基づいて、前記複数のＭＵ−ＭＩＭＯグループのうちの少なくとも１つに優先度を付けための手段と
を備える、装置。
［Ｃ２８］
前記少なくとも１つのＭＵ−ＭＩＭＯグループに優先度を付けるための前記手段は、
好ましいＭＵ−ＭＩＭＯグループのリストを作成するための手段
を備える、Ｃ２７に記載の装置。
［Ｃ２９］
前記少なくとも１つのＭＵ−ＭＩＭＯグループに優先度を付けるための前記手段は、
ブラックリステッドＭＵ−ＭＩＭＯグループのリストを作成するための手段
を備える、Ｃ２７に記載の装置。
［Ｃ３０］
ワイヤレス通信に関するコンピュータ実行可能コードを記憶する非一時的コンピュータ可読媒体であって、プロセッサによって実行可能である前記コードは、
ワイヤレス局（ＳＴＡ）に関連付けられた複数のマルチユーザ多入力多出力（ＭＵ多入力多出力（ＭＩＭＯ））グループを特定することと、
前記複数のＭＵ−ＭＩＭＯグループの各々に関連付けられた通信メトリックを決定することと、および
前記優先度を付けられたＭＵ−ＭＩＭＯグループに関連付けられた前記通信メトリックに少なくとも部分的に基づいて、前記複数のＭＵ−ＭＩＭＯグループのうちの少なくとも１つに優先度を付けることである。